(57)【要約】【課題】放送コンテンツを放送する放送枠を検討する際に有用な使用提供することが可能なシステム、方法及びプログラムを提供することにある。【解決手段】実施形態に係るシステムは、第１チャンネルの第１時間帯に放送された第１枠を選択する選択手段と、第１枠を視聴した視聴者を母集団とする第２枠の視聴状況に関する第１指標と、第１枠を視聴した視聴者を母集団とする第３枠の視聴状況に関する第２指標と、を表示する表示制御手段とを具備する。第２枠は、第１枠と日付、時間帯、チャンネルの少なくとも１つが異なる枠である。第３枠は、第２枠と日付、時間帯、チャンネルの少なくとも１つが異なる枠である。【選択図】図１
2019140485.tif 000002
【特許請求の範囲】
【請求項１】
第１チャンネルの第１時間帯に放送された第１枠を選択する選択手段と、
前記第１枠を視聴した視聴者を母集団とする第２枠の視聴状況に関する第１指標と、前記第１枠を視聴した視聴者を母集団とする第３枠の視聴状況に関する第２指標と、を表示する表示制御手段と
を具備し、
前記第２枠は、前記第１枠と日付、時間帯、チャンネルの少なくとも１つが異なる枠であり、
前記第３枠は、前記第２枠と日付、時間帯、チャンネルの少なくとも１つが異なる枠である
システム。
【請求項２】
前記第２枠に対する視聴が多い場合、前記第１指標は高くなり、
前記第３枠に対する視聴が多い場合、前記第２指標は高くなる
請求項１記載のシステム。
【請求項３】
前記第２枠に対する視聴が少ない場合、前記第１指標は高くなり、
前記第３枠に対する視聴が少ない場合、前記第２指標は高くなる
請求項１記載のシステム。
【請求項４】
前記選択手段は、前記第１チャンネルの第１時間帯に放送された第１枠に加えて、前記第１枠とは異なる第４枠を選択可能であり、
前記表示制御手段は、前記第１枠と前記第４枠との視聴状況に応じて定められる母集団に対して前記第２枠の視聴状況に関する第１指標と、前記第１枠と前記第４枠との視聴状況に応じて定められる母集団に対して前記第３枠の視聴状況に関する第２指標と、を表示する
請求項１〜３のいずれか一項に記載のシステム。
【請求項５】
前記表示制御手段は、前記第１枠を視聴した視聴者を含む全視聴者を母集団とする第２枠の視聴状況に関する第３指標と、前記第１枠を視聴した視聴者を含む全視聴者を母集団とする第３枠の視聴状況に関する第４指標とを、前記第１指標及び前記第２指標と併せて更に表示する
請求項１〜４のいずれか一項に記載のシステム。
【請求項６】
前記第１指標と前記第３指標との相違及び前記第２指標と前記第４指標との相違は、識別可能に表示される請求項５記載のシステム。
【請求項７】
前記第１指標と前記第２指標とは、当該第１指標と当該第２指標とを色彩で表したヒートマップ形式で表示される請求項１〜６のいずれか一項に記載のシステム。
【請求項８】
前記第１指標と前記第２指標とは、当該第１指標と当該第２指標とに応じて配列されたリスト形式で表示される請求項１〜６のいずれか一項に記載のシステム。
【請求項９】
前記枠は番組である請求項１〜８のいずれか一項に記載のシステム。
【請求項１０】
第１チャンネルの第１時間帯に放送された第１枠を選択するステップと、
前記第１枠を視聴した視聴者を母集団とする第２枠の視聴状況に関する第１指標と、前記第１枠を視聴した視聴者を母集団とする第３枠の視聴状況に関する第２指標と、を表示するステップと
を具備し、
前記第２枠は、前記第１枠と日付、時間帯、チャンネルの少なくとも１つが異なる枠であり、
前記第３枠は、前記第２枠と日付、時間帯、チャンネルの少なくとも１つが異なる枠である
方法。
【請求項１１】
前記第２枠に対する視聴が多い場合、前記第１指標は高くなり、
前記第３枠に対する視聴が多い場合、前記第２指標は高くなる
請求項１０記載の方法。
【請求項１２】
前記第２枠に対する視聴が少ない場合、前記第１指標は高くなり、
前記第３枠に対する視聴が少ない場合、前記第２指標は高くなる
請求項１０記載の方法。
【請求項１３】
前記第１チャンネルの第１時間帯に放送された第１枠に加えて、前記第１枠とは異なる第４枠を選択可能であり、
前記表示するステップは、前記第１枠と前記第４枠との視聴状況に応じて定められる母集団に対して前記第２枠の視聴状況に関する第１指標と、前記第１枠と前記第４枠との視聴状況に応じて定められる母集団に対して前記第３枠の視聴状況に関する第２指標と、を表示するステップを含む
請求項１０〜１２のいずれか一項に記載の方法。
【請求項１４】
前記表示するステップは、前記第１枠を視聴した視聴者を含む全視聴者を母集団とする第２枠の視聴状況に関する第３指標と、前記第１枠を視聴した視聴者を含む全視聴者を母集団とする第３枠の視聴状況に関する第４指標とを、前記第１指標及び前記第２指標と併せて更に表示するステップと含む
請求項１０〜１３のいずれか一項に記載の方法。
【請求項１５】
前記第１指標と前記第３指標との相違及び前記第２指標と前記第４指標との相違は、識別可能に表示される請求項１４記載の方法。
【請求項１６】
前記第１指標と前記第２指標とは、当該第１指標と当該第２指標とを色彩で表したヒートマップ形式で表示される請求項１０〜１５のいずれか一項に記載の方法。
【請求項１７】
前記第１指標と前記第２指標とは、当該第１指標と当該第２指標とに応じて配列されたリスト形式で表示される請求項１０〜１５のいずれか一項に記載の方法。
【請求項１８】
前記枠は番組である請求項１０〜１７のいずれか一項に記載の方法。
【請求項１９】
コンピュータに、
第１チャンネルの第１時間帯に放送された第１枠を選択するステップと、
前記第１枠を視聴した視聴者を母集団とする第２枠の視聴状況に関する第１指標と、前記第１枠を視聴した視聴者を母集団とする第３枠の視聴状況に関する第２指標と、を表示するステップと
を実行させ、
前記第２枠は、前記第１枠と日付、時間帯、チャンネルの少なくとも１つが異なる枠であり、
前記第３枠は、前記第２枠と日付、時間帯、チャンネルの少なくとも１つが異なる枠である
プログラム。
【発明の詳細な説明】
【技術分野】
【０００１】
本発明の実施形態は、システム、方法及びプログラムに関する。
【背景技術】
【０００２】
近年では、インターネットのようなネットワークに接続された例えばテレビ等の映像視聴機器（以下、視聴機器と表記）から、当該視聴機器の動作時間及び動作内容に関するログ（以下、動作ログと表記）に基づく視聴データ（視聴履歴）を収集することが知られている。
【０００３】
このように収集された視聴データは番組等の放送コンテンツに対する視聴者の趣味や嗜好を反映しているため、当該視聴データを分析することは、放送コンテンツを提供する事業者（例えば、放送局等）にとって有用である。
【０００４】
ここで、放送局等は番組を放送可能な複数の枠（以下、放送枠と表記）を有しているが、例えば新番組等の放送が決定された場合には、当該新番組を放送する放送枠を検討する必要がある。
【０００５】
このような場合に、上記した視聴データの分析結果として各放送枠の視聴状況に関する有用な指標を提供することができれば、新番組等の放送コンテンツを放送する放送枠の検討を効率的に行うことができる。
【先行技術文献】
【特許文献】
【０００６】
【特許文献１】特開２０１７−１８８９３２号公報
【発明の概要】
【発明が解決しようとする課題】
【０００７】
そこで、本発明が解決しようとする課題は、放送コンテンツを放送する放送枠を検討する際に有用な指標を提供することが可能なシステム、方法及びプログラムを提供することにある。
【課題を解決するための手段】
【０００８】
実施形態に係るシステムは、第１チャンネルの第１時間帯に放送された第１枠を選択する選択手段と、前記第１枠を視聴した視聴者を母集団とする第２枠の視聴状況に関する第１指標と、前記第１枠を視聴した視聴者を母集団とする第３枠の視聴状況に関する第２指標と、を表示する表示制御手段とを具備する。前記第２枠は、前記第１枠と日付、時間帯、チャンネルの少なくとも１つが異なる枠である。前記第３枠は、前記第２枠と日付、時間帯、チャンネルの少なくとも１つが異なる枠である。
【図面の簡単な説明】
【０００９】
【図１】実施形態に係るシステムの構成の一例を示すブロック図。
【図２】分析装置のハードウェア構成の一例を示す図。
【図３】放送枠情報格納部に格納されている放送枠情報のデータ構造の一例を示す図。
【図４】視聴データ格納部に格納されている視聴データのデータ構造の一例を示す図。
【図５】システムの処理手順の一例を示すフローチャート。
【図６】放送枠選択画面の一例を示す図。
【図７】指標出力画面の一例を示す図。
【図８】更に放送枠が選択された場合の指標出力画面の一例を示す図。
【図９】リスト形式で表示された放送枠選択画面の一例を示す図。
【図１０】リスト形式で表示された指標出力画面の一例を示す図。
【図１１】指標出力画面の別の例を示す図。
【図１２】指標出力画面の別の例を示す図。
【図１３】本実施形態の変形例における放送枠選択画面の一例を示す図。
【図１４】指標出力画面の一例を示す図。
【図１５】更にタイムテーブルが選択された場合の指標出力画面の一例を示す図。
【図１６】リスト形式で表示された放送枠選択画面の一例を示す図。
【図１７】リスト形式で表示された指標出力画面の一例を示す図。
【図１８】機器特徴情報のデータ構造の一例を示す図。
【図１９】接触機器の条件を指定するためのＧＵＩ画面の一例を示す図。
【図２０】指標を出力する際の母集団となる視聴機器の内訳の表示例を示す図。
【発明を実施するための形態】
【００１０】
以下、図面を参照して、実施形態について説明する。
図１は、本実施形態に係るシステムの構成の一例を示すブロック図である。本実施形態に係るシステムは、テレビ等の映像視聴機器（以下、視聴機器と表記）の動作時間及び動作内容に関するログ（以下、動作ログ）から得られる視聴データ（視聴履歴）を分析するために用いられる。以下の説明においては、本実施形態に係るシステムは便宜的に分析システムと称する。
【００１１】
図１に示す分析システム１０は、放送枠情報格納部１１、視聴データ格納部１２、放送枠選択部１３、集計部１４及び表示制御部１５を含む。
【００１２】
放送枠情報格納部１１は、例えば番組等の放送コンテンツを放送可能な枠（以下、放送枠と表記）毎に、当該放送枠を示す情報（以下、放送枠情報と表記）を予め格納する。すなわち、放送枠情報格納部１１には、それぞれ異なる放送枠を示す複数の放送枠情報が格納される。放送枠情報は、例えば当該放送枠情報によって示される放送枠において放送された番組に関する情報を含む。なお、放送情報格納部１１に格納されている複数の放送枠情報の各々によって示される放送枠は、例えば日付、時間帯及びチャンネルの少なくとも１つが異なる。
【００１３】
視聴データ格納部１２には、上記した視聴データが格納される。視聴データ格納部１２に格納される視聴データは、例えば分析システム１０とインターネットのようなネットワークを介して接続された多数の視聴機器から収集され、当該視聴データが収集された視聴機器における視聴履歴を示す。
【００１４】
放送枠選択部１３は、オペレータ（操作者）による操作に基づいて、放送枠情報格納部１１に格納されている複数の放送枠情報によって示される複数の放送枠の中から１つの放送枠を選択する。
【００１５】
集計部１４は、視聴データ格納部１２に格納されている視聴データを分析して、放送枠情報格納部１１に格納されている複数の放送枠情報によって示される複数の放送枠の各々の視聴状況に関する指標を集計する。この場合、集計部１４は、例えば放送枠選択部１３によって選択された放送枠において放送された番組を視聴した視聴者を母集団として、各放送枠に関する指標を集計する。
【００１６】
表示制御部１５は、オペレータからの操作を受け付けるとともに、各種情報を表示するグラフィカルユーザインタフェースとして機能する画面（以下、ＧＵＩ画面と表記）を表示する。上記した集計部１４によって集計された指標は、表示制御部１５によってＧＵＩ画面上に表示される。
【００１７】
本実施形態に係る分析システム１０に含まれる各部１１〜１５は、１つの装置に配置されていてもよし、複数の装置に配置されていてもよい。以下の説明においては、各部１１〜１５が１つの装置（以下、分析装置と表記）に配置されているものとして説明する。
【００１８】
図２は、上記した分析装置のハードウェア構成の一例を示す。図２に示すように、分析装置は、ＣＰＵ１０１、不揮発性メモリ１０２、主メモリ１０３、入力デバイス１０４、表示デバイス１０５及び通信デバイス１０６等を備える。
【００１９】
ＣＰＵ１０１は、分析装置（分析システム１０）内の様々なコンポーネントの動作を制御するハードウェアプロセッサである。ＣＰＵ１０１は、ストレージデバイスである不揮発性メモリ１０２から主メモリ１０３にロードされる様々なプログラムを実行する。ＣＰＵ１０１によって実行されるプログラムには、オペレーティングシステム（ＯＳ）及び上記した視聴データを分析するためのプログラム（以下、分析プログラムと表記）等が含まれる。また、ＣＰＵ１０１は、例えばハードウェア制御のためのプログラムである基本入出力システム（ＢＩＯＳ）等も実行する。
【００２０】
なお、上記した放送枠選択部１３、集計部１４及び表示制御部１５の一部または全ては、ＣＰＵ１０１（つまり、分析装置のコンピュータ）に分析プログラムを実行させること、すなわちソフトウェアによって実現されるものとする。これら各部１３〜１５の一部または全ては、ＩＣ（Integrated Circuit）等のハードウェアによって実現されてもよいし、ソフトウェア及びハードウェアの組み合わせ構成として実現されてもよい。
【００２１】
上記した分析プログラムは、コンピュータ読み取り可能な記憶媒体に格納して頒布されてもよいし、またはネットワークを通じて分析装置にダウンロードされてもよい。
【００２２】
なお、放送枠情報格納部１１及び視聴データ格納部１２は、例えば分析装置に備えられる不揮発性メモリ１０２等の記憶装置によって実現される。
【００２３】
入力デバイス１０４は、例えばキーボード及びマウス等を含む。表示デバイス１０５は、例えば液晶表示装置のようなディスプレイ等を含む。なお、入力デバイス１０４及び表示デバイス１０５は、例えばタッチスクリーンディスプレイのように一体として構成されていてもよい。
【００２４】
通信デバイス１０６は、例えば有線または無線による通信を実行するように構成されたデバイスである。
【００２５】
図３は、図１に示す放送枠情報格納部１１に格納されている放送枠情報のデータ構造の一例を示す。上記したように放送枠情報格納部１１に格納されている放送枠情報は、番組を放送可能な放送枠を示す。なお、放送枠は、番組を放送する放送局毎に予め定められており、例えば電子番組ガイド（ＥＰＧ：Electronic Program Guide）のような番組表において１つの番組に割り当てられている時間帯（つまり、放送時間）等に相当する概念である。
【００２６】
図３に示すように、放送枠情報には、タイトル、番組情報、放送局、放送時間及び曜日が含まれる。
【００２７】
タイトルは、放送枠情報によって示される放送枠において放送された番組に付されているタイトルを示す。番組情報は、当該番組情報に対応づけられているタイトルが付された番組に関する情報である。番組情報には、番組のジャンル、出演者、当該番組がターゲットとする視聴者の年代、性別、当該番組が放送される時間帯（午前、午後、ゴールデンタイム及び深夜等）のような属性情報が含まれる。なお、番組情報には、他の属性情報が含まれていても構わない。
【００２８】
放送局は、当該放送局に対応づけられているタイトルが付された番組が放送された放送局（つまり、チャンネル）を示す。放送時間は、当該放送時間に対応づけられているタイトルが付された番組が放送された時間帯を示し、例えば放送開始時刻及び放送終了時刻を含む。曜日は、当該曜日に対応づけられているタイトルが付された番組が放送された曜日を示す。
【００２９】
図３に示す例では、放送枠情報格納部１１には、放送枠情報１１１及び１１２を含む複数の放送枠情報が格納されている。
【００３０】
放送枠情報１１１には、タイトル「ＡＡＡ」、番組情報「番組情報１」、放送局「放送局１」、放送時間「５：００−９：００」及び曜日「月曜日」が含まれている。
【００３１】
この放送枠情報１１１によれば、タイトルが「ＡＡＡ」である番組（タイトル「ＡＡＡ」が付された番組）が月曜日の５時００分（放送開始時刻）から９時００分（放送終了時刻）の間に放送局１で放送されたことが示されている。すなわち、放送枠情報１１１によって示される放送枠は、放送局１が有する５時００分から９時００分までの時間帯である。なお、番組情報１には、タイトルが「ＡＡＡ」である番組に関する情報として、当該番組のジャンル、出演者、年代、性別及び時間帯等の属性情報が含まれている。
【００３２】
放送枠情報１１２には、タイトル「ＢＢＢ」、番組情報「番組情報２」、放送局「放送局２」、放送時間「９：００−１３：００」及び曜日「金曜日」が含まれている。
【００３３】
この放送枠情報１１２によれば、タイトルが「ＢＢＢ」である番組（タイトル「ＢＢＢ」が付された番組）が金曜日の９時００分（放送開始時刻）から１３時００分（放送終了時刻）間に放送局２で放送されたことが示されている。すなわち、放送枠情報１１２によって示される放送枠は、放送局２が有する５時００分から９時００分までの時間帯である。なお、番組情報２には、タイトルが「ＢＢＢ」である番組に関する情報として、当該番組のジャンル、出演者、年代、性別及び時間帯等の属性情報が含まれている。
【００３４】
ここでは、放送枠情報１１１及び１１２についてのみ説明したが、放送枠情報格納部１１には、各放送局における番組を放送可能な全ての放送枠を示す放送枠情報が格納されている。なお、放送枠情報格納部１１には、例えば少なくとも過去１週間分の放送枠（つまり、過去１週間のうちに各放送局で放送された番組の放送枠）を示す放送枠情報が格納されているものとする。
【００３５】
図４は、図１に示す視聴データ格納部１２に格納されている視聴データのデータ構造の一例を示す。図４に示すように、視聴データには、機器ＩＤ、放送局、視聴時間及び曜日が含まれる。
【００３６】
機器ＩＤは、当該機器ＩＤを含む視聴データを収集した視聴機器を識別するための識別情報である。
【００３７】
放送局は、当該放送局に対応づけられている機器ＩＤによって識別される視聴機器において視聴された番組を放送した放送局（つまり、当該番組が放送されたチャンネル）を示す。
【００３８】
視聴時間は、当該視聴時間に対応づけられている機器ＩＤによって識別される視聴機器において番組が視聴された時間帯を示し、例えば視聴開始時刻及び視聴終了時刻を含む。
【００３９】
曜日は、当該曜日に対応づけられている機器ＩＤによって識別される視聴機器において番組が視聴された曜日を示す。
【００４０】
図４に示す例では、視聴データ格納部１２には、視聴データ１２１及び１２２を含む複数の視聴データが格納されている。
【００４１】
視聴データ１２１には、機器ＩＤ「０００１」、放送局「放送局１」、視聴時間「２１：００−２２：００」及び曜日「月曜日」が含まれている。
【００４２】
この視聴データ１２１によれば、機器ＩＤ「０００１」によって識別される視聴機器において、放送局１で放送された番組が月曜日の２１時００分から２２時００分までの間に視聴されたことが示されている。
【００４３】
視聴データ１２２には、機器ＩＤ「０００２」、放送局「放送局３」、視聴時間「６：３０−７：００」及び曜日「金曜日」が含まれている。
【００４４】
この視聴データ１２２によれば、機器ＩＤ「０００２」によって識別される視聴機器において、放送局３で放送された番組が金曜日の６時３０分から７時００分までの間に視聴されたことが示されている。
【００４５】
ここでは、視聴データ１２１及び１２２についてのみ説明したが、視聴データ格納部１２には、視聴データを収集することができる全ての視聴機器から収集された多数の視聴データ格納されている。
【００４６】
なお、図４においては省略されているが、視聴データ格納部１２に格納されている視聴データは、例えば日付等を示す情報を更に含み、当該視聴データが収集された日付（または、番組が視聴された日付）等を特定可能であるものとする。
【００４７】
次に、本実施形態に係る分析システム１０の動作について説明する。ここで、例えば新番組（放送コンテンツ）の放送が決定した場合において、当該新番組を放送すべき放送枠を検討する場合を想定する。
【００４８】
このような場合において、新番組が特定の年代及び性別の視聴者（例えば、２０代の女性等）をターゲットとしている場合、当該特定の年代及び性別の視聴者（の視聴機器）から収集された視聴データのみを対象として各放送枠に対する視聴率（視聴割合）を集計し、当該視聴率の高い放送枠を新番組を放送する放送枠の候補とすることが考えられる。
【００４９】
しかしながら、この場合には視聴データに年代及び性別等のデモグラフィックスが付与されている必要があり、当該デモグラフィックスが付与されていない視聴データでは上記した放送枠の候補を得ることはできない。
【００５０】
そこで、本実施形態においては、過去に接触（つまり、視聴）した番組の種類によって視聴者の行動及び態度が異なる、すなわち、同様の番組に接触した視聴者は行動及び態度が共通するという仮定に基づき、特定の放送枠（番組）に対する視聴の有無を１つの評価軸（属性）として各放送枠の視聴状況に関する指標を集計するものとする。
【００５１】
以下、図５のフローチャートを参照して、本実施形態に係る分析システム１０の処理手順の一例について説明する。ここでは、上記した放送枠を検討する新番組（放送前番組）を便宜的に対象番組と称する。
【００５２】
まず、表示制御部１５は、放送枠情報格納部１１に格納されている放送枠情報に基づいて、オペレータに放送枠を選択させるための画面（以下、放送枠選択画面と表記）を表示する（ステップＳ１）。この放送枠選択画面はＧＵＩ画面であり、オペレータは、当該放送枠選択画面上で放送枠を選択する操作（選択操作）を行うことができる。
【００５３】
放送枠選択部１３は、オペレータの選択操作を受け付け、当該選択操作に基づいて放送枠を選択する（ステップＳ２）。なお、ステップＳ２においては、例えばオペレータによって対象番組と類似すると判断された番組が放送された放送枠が選択される。以下、ステップＳ２において選択された放送枠を選択放送枠と称する。
【００５４】
次に、集計部１４は、視聴データ格納部１２に格納されている視聴データに基づいて、視聴データを収集可能な全ての視聴機器の中から、選択放送枠に接触した視聴機器（以下、接触機器と表記）を抽出する（ステップＳ３）。
【００５５】
以下、ステップＳ３の処理について説明する。ステップＳ３の処理において、集計部１４は、選択放送枠を示す放送枠情報から放送局（以下、選択放送枠の放送局と表記）、放送時間（以下、選択放送枠の放送時間と表記）及び曜日（以下、選択放送枠の曜日と表記）を取得する。集計部１４は、選択放送枠の放送局及び選択放送枠の曜日を含む視聴データであって、視聴時間の少なくとも一部が選択放送枠の放送時間と重複する視聴データを視聴データ格納部１２から取得する。ステップＳ３においては、このように取得された視聴データに含まれる機器ＩＤによって識別される視聴機器が接触機器として抽出される。
【００５６】
すなわち、本実施形態において接触機器とは選択放送枠（番組）に対して視聴履歴がある（つまり、少なくとも視聴機器において番組が表示され、視聴者が番組を視聴したと想定される）視聴機器である。
【００５７】
なお、接触機器は、閾値以上の時間の視聴履歴がある視聴機器であるものとする。この場合の閾値は、固定値であってもよいし、選択放送枠（番組の放送時間）に対する一定の割合に相当する時間であってもよい。また、上記した視聴履歴とは、例えばリアルタイムでの視聴履歴であってもよいし、録画での視聴履歴であってもよい。上記したような接触機器として扱う視聴機器の条件は、分析の目的に応じて適宜設定されればよい。
【００５８】
ステップＳ３の処理が実行されると、放送枠情報格納部１１に格納されている複数の放送枠情報によって示される放送枠の各々について、ステップＳ４の処理が実行される。なお、ステップＳ４の処理が実行される放送枠には、選択放送枠も含まれる。以下、ステップＳ４の処理が実行される放送枠を対象放送枠と称する。
【００５９】
この場合、集計部１４は、接触機器の集合を母集団とする対象放送枠の視聴状況に関する指標を集計する（ステップＳ４）。なお、ステップＳ４において母集団とする接触機器の集合は、上記した選択放送枠（選択放送枠において放送された番組）を視聴した視聴者の集合を意味している。
【００６０】
集計部１４は、ステップＳ４において集計される指標として、例えば接触機器の集合における対象放送枠に対する視聴率（視聴割合）を算出する。この視聴率は、各接触機器における対象放送枠に対する視聴時間の総数（以下、視聴時間総数と表記）を、全接触機器数に対象放送枠の時間長を乗算した値で除算することによって算出することができる。視聴時間総数は、接触機器の視聴データ（接触機器を識別するための機器ＩＤを含む視聴データ）の各々ついて対象放送枠に対する視聴時間（対象放送枠と視聴時間とにおいて重複する時間）を特定し、当該特定された視聴時間を合計することによって算出される。
【００６１】
なお、視聴率は、他の手法によって算出されても構わない。具体的には、接触機器の視聴データに基づいて全接触機器数の中で対象選択枠に対して視聴履歴がある接触機器の数をカウントし、当該全接触機器数に対する当該カウントされた接触機器の数（以下、単に接触機器数と表記）の割合を視聴率として計算してもよい。
【００６２】
また、視聴率は、リアルタイムでの視聴による視聴率であってもよいし、録画での視聴による視聴率であってもよいし、これらの合算視聴率であってもよい。なお、接触機器における視聴形態（リアルタイムでの視聴であるか録画での視聴であるか）は、例えば視聴データにフラグを付しておくことによって判別可能であるものとする。
【００６３】
ここで、上記した接触機器数にカウントされる接触機器（視聴機器）は、対象放送枠（放送時間）に対して閾値以上の時間の視聴履歴がある視聴機器であるものとする。すなわち、対象放送枠に対して閾値以上の時間の視聴履歴がない視聴機器については、接触機器数としてカウントされないものとする。なお、閾値は、固定値であってもよいし、対象放送枠に対する一定の割合に相当する時間であってもよい。例えば対象放送枠に対する少しの視聴であっても接触機器数としてカウントする場合には、固定値は例えば１秒等とすることができるし、対象放送枠に対してある程度の時間の視聴履歴がなければ接触機器数としてカウントしない場合には、固定値は例えば数十分等とすることができる。
【００６４】
ここで、全ての放送枠についてステップＳ４の処理が実行されたか否かが判定される（ステップＳ５）。
【００６５】
全ての放送枠について処理が実行されていないと判定された場合（ステップＳ５のＮＯ）、ステップＳ４に戻って処理が繰り返される。この場合、処理が実行されていない放送枠を対象放送枠としてステップＳ４の処理が実行される。
【００６６】
一方、全ての放送枠について処理が実行されたと判定された場合（ステップＳ５のＹＥＳ）、表示制御部１６は、ステップＳ４において集計された各放送枠の視聴状況に関する指標（視聴率）を出力する（ステップＳ６）。この場合、各放送枠の視聴状況に関する指標は、ＧＵＩ画面上に表示される。
【００６７】
ここで、オペレータは、各放送枠の視聴状況に関する指標が表示されたＧＵＩ画面上で、更に放送枠を選択する操作を行うことができる。
【００６８】
このため、ステップＳ６の処理が実行された場合、オペレータの選択操作に基づいて放送枠の追加選択があるか否かが判定される（ステップＳ７）。
【００６９】
放送枠の追加選択があると判定された場合（ステップＳ７のＹＥＳ）、ステップＳ２に戻って処理が繰り返される。
【００７０】
以下、放送枠の追加選択があると判定された場合に実行されるステップＳ２以降の処理を追加選択処理と称し、当該追加選択処理について簡単に説明する。
【００７１】
この追加選択処理時のステップＳ２においては、放送枠を追加選択するオペレータの選択操作に基づいて放送枠が再度選択される。なお、再度選択される放送枠は、上記した選択放送枠とは異なる放送枠である。以下、このように再度選択された放送枠を追加選択放送枠と称する。
【００７２】
また、追加選択処理時のステップＳ３において抽出される接触機器は、上記した選択放送枠及び追加選択放送枠の双方に接触した視聴機器としてもよいし、選択放送枠及び追加選択放送枠のうちの少なくとも一方に接触した視聴機器としてもよい。
【００７３】
追加選択処理時のステップＳ３の処理が実行された後のステップＳ４〜Ｓ６においては、上記したステップＳ４〜Ｓ６において説明した処理と同様の処理が実行される。
【００７４】
このように追加選択処理においては、選択放送枠と追加選択放送枠との視聴状況に応じて定められる母集団に対する各放送枠の視聴状況に関する指標が集計されて出力（表示）される。
【００７５】
なお、放送枠の追加選択がないと判定された場合（ステップＳ７のＮＯ）、図５に示す処理は終了される。
【００７６】
ここで、本実施形態に係る分析システム１０の動作について具体的に説明する。上記したように対象番組（新番組等）を放送する放送枠について検討する場合には、例えばオペレータの操作に応じて放送枠選択画面が表示される。
【００７７】
ここで、図６は、放送枠選択画面（ＧＵＩ画面）の一例を示す。図６に示す放送枠選択画面２００においては、縦軸を放送時間、横軸を曜日とした番組表の形式で、放送局毎に放送枠が表示される。なお、図６に示す例では、放送局１及び放送局２以外については省略されている。
【００７８】
また、図６においては、説明の便宜上、各曜日に対して４時間毎に１つの枠（放送枠）が設けられているが、実際には通常の放送局の番組表のように例えば１つの番組が放送される放送時間毎に放送枠が設けられているものとする。
【００７９】
なお、図６に示すように、放送枠選択画面２００には、例えば過去１週間分の放送枠（番組表）が表示されるものとする。
【００８０】
オペレータは、上記した入力デバイス１０４を用いて放送枠選択画面２００上のポインタ２０１を操作して、放送枠選択画面２００に表示されている放送枠のうちの１つを選択（指定）することができる。
【００８１】
ここで、本実施形態において、オペレータは、上記した対象番組に類似する番組が放送された放送枠を選択する。この場合、オペレータは当該オペレータの判断で放送枠を選択することができるが、放送枠選択画面２００上でポインタ２０１が各放送枠に重畳された際には、当該放送枠で放送された番組に関する番組情報が例えばポップアップ等によって表示されるものとする。なお、この番組情報はポインタ２０１が重畳された放送枠を示す放送枠情報に含まれているため、放送枠情報格納部１１から取得して表示することが可能である。
【００８２】
オペレータは、このように放送枠選択画面２００上に表示される番組情報を参考にして、ポインタ２０１が重畳された放送枠で放送された番組が対象番組に類似するか否かを判断し、放送枠を選択することができる。例えば対象番組が「女性向け、深夜、スポーツ」に関する番組である場合、オペレータは、例えば番組情報が「女性向け、スポーツ」等である番組が放送された放送枠を選択することができる。
【００８３】
なお、例えばオペレータによって対象番組に関する番組情報（ジャンル等）が分析システム１０に入力された場合には、当該番組情報に類似する番組情報を含む放送枠情報によって示される放送枠（つまり、対象番組と番組情報が類似する番組が放送された放送枠）を、選択候補の放送枠として当該オペレータに対して提示するようにしてもよい。また、対象番組と番組情報が類似する番組が放送された放送枠が自動的に選択されるようにしてもよい。
【００８４】
ここで、図６に示すように、放送枠２０２が選択された場合を想定する。この場合、図５に示すステップＳ３〜Ｓ６の処理が実行されることによって、放送枠２０２に接触した視聴機器（接触機器）が抽出され、当該接触機器（つまり、放送枠２０２において放送された番組を視聴した視聴者）を母集団とする各放送枠の視聴状況に関する指標（視聴率）が出力される。
【００８５】
図７は、各放送枠の視聴状況に関する指標が出力された際の画面（以下、指標出力画面と表記）の一例を示す。
【００８６】
図７に示すように、指標出力画面３００は、上記した図６に示す放送枠選択画面２００に表示されている各放送枠に対して、当該放送枠の視聴状況に関する指標（つまり、視聴率）を色彩で表したヒートマップ形式で表示される。
【００８７】
ヒートマップ形式で表示される指標出力画面３００においては、例えば指標が高い放送枠は濃度の高い色彩で表され、指標が低い放送枠は濃度の低い色彩で表されるものとする。
【００８８】
なお、図７に示す例では、放送枠３０１等は指標が高い、つまり、オペレータによって選択された放送枠２０２に接触した視聴機器を母集団としたときの視聴率が高い放送枠であることが示されている。また、放送枠３０２等は指標が低い、つまり、オペレータによって選択された放送枠２０２に接触した視聴機器を母集団としたときの視聴率が低い放送枠であることが示されている。また、放送枠３０３等は指標が中程度である、つまり、オペレータによって選択された放送枠２０２に接触した視聴機器を母集団としたときの視聴率が中程度である放送枠であることが示されている。なお、図７に示す例においては、指標が閾値以下である放送枠には色彩は付されていない。
【００８９】
図７においては指標の高低を１つの色彩の濃淡で表すことを想定しているが、当該各放送枠の指標に応じて異なる色彩が付されてもよい。
【００９０】
ここで、オペレータは、上記した放送枠選択画面２００に対する選択操作と同様の操作を行うことによって、図７に示す指標出力画面（ＧＵＩ画面）３００において放送枠を追加選択することができる。
【００９１】
上記したように対象番組が「女性向け、深夜、スポーツ」に関する番組であり、放送枠選択画面２００において番組情報が「女性向け、スポーツ」である番組が放送された放送枠２０２が選択されているものとすると、オペレータは、指標出力画面３００において例えば番組情報が「女性向け、深夜」である番組が放送された放送枠３０１を更に選択することができる。
【００９２】
この場合において、例えば放送枠２０２及び放送枠３０１の双方に接触した視聴機器を図５に示すステップＳ３における接触機器とするものとすると、例えば図８に示す指標出力画面４００が表示される。
【００９３】
この指標出力画面４００においては、放送枠２０２及び放送枠３０１の双方に接触した視聴機器（つまり、放送枠２０２及び放送枠３０１において放送された番組の両方を視聴した視聴者）を母集団とする各放送枠の視聴状況に関する指標（視聴率）が表示される。
【００９４】
指標出力画面４００では、オペレータによって選択された放送枠２０２及び放送枠３０１に接触した視聴機器を母集団として指標を集計（算出）しているため、当該放送枠２０２及び放送枠３０１については高い指標となる場合が多い。
【００９５】
この点を考慮して指標出力画面４００を参照すると、オペレータによって選択された放送枠２０２及び放送枠３０１以外では、例えば放送枠４０１及び放送枠４０２の指標が高い。これによれば、放送枠４０１及び放送枠４０２は、対象番組と類似する番組（放送枠２０２及び放送枠３０１において放送された番組）を視聴した視聴者が視聴する傾向にある（視聴しやすい）放送枠であると推測される。この場合、対象番組についても放送枠４０１及び放送枠４０２において放送すれば高い視聴率を得ることができる可能性があるため、類似する番組が放送された放送枠２０２及び放送枠３０１に加えて、当該放送枠４０１及び放送枠４０２を対象番組（新番組）を放送する放送枠の候補として得ることができる。
【００９６】
図６〜図８においては２つの放送枠２０２及び放送枠３０１が選択されるものとして説明したが、更に放送枠が選択されても構わない。この場合においても同様の処理が繰り返される。なお、ここでは放送枠が順次選択されるものとして説明したが、例えば図６に示す放送枠選択画面２００において複数の放送枠が同時に選択されても構わない。
また、本実施形態においては、図６に示す放送枠選択画面２００が表示された後に図７に示す指標出力画面３００が表示され、当該使用出力画面３００において放送枠を追加選択することができるものとして説明したが、例えば放送枠選択画面及び指標出力画面はそれぞれ独立して並べて表示され、放送枠の選択及び追加は常に放送枠選択画面に対して行われ、指標の出力（表示）は常に指標出力画面に対して行われるようなＧＵＩ画面が表示されても構わない。
【００９７】
上記したように本実施形態においては、放送枠（第１チャンネルの第１時間帯に放送された第１枠）を選択し、当該選択された放送枠を視聴した視聴者（接触機器）を母集団とする各放送枠（第２枠及び第３枠）の視聴状況に関する指標（第１指標及び第２指標）を表示する。なお、本実施形態において、各放送枠は、日付、時間帯、チャンネル（放送局）の少なくとも１つが異なる。
【００９８】
本実施形態においては、このような構成により、新番組等の放送コンテンツの放送枠を検討する際に有用な指標を提供することが可能となる。すなわち、本実施形態においては過去に接触実績があった番組の種類によってユーザの行動及び態度が異なるという仮定に基づき、特定の番組（放送枠）への接触の有無を１つの評価軸（属性）として有効ターゲット（接触機器）を設定し、視聴データの分析に用いることができる。これによれば、単なるデモグラフィックス（年齢及び性別等）とは異なる評価軸で視聴データを分析可能であるとともに、特定の番組への接触を評価軸とすることで番組情報に基づく分析が可能であるため、単にデモグラフィックスを用いる場合と比較してより意図する有効ターゲットを得られる場合が多い。
【００９９】
なお、上記した指標（視聴率）は放送枠に対する視聴が多い場合に高くなるため、このような指標によれば、選択された放送枠（例えば、新番組と類似する番組が放送された放送枠）を視聴した視聴者を母集団としたときの指標が高い放送枠は、当該視聴者によって視聴されやすい放送枠であることを把握することができる。すなわち、本実施形態において、新番組に類似する番組に接触した視聴者が他の番組（放送枠）に対してどの程度接触しているかを対話的に分析可能であり、当該分析結果から新番組の有効なターゲットに視聴されやすい放送枠（時間帯）の候補を発見的に得ることができる。
【０１００】
また、本実施形態においては、放送枠（第１枠）が選択されることによって指標が表示された場合に、当該放送枠に加えて当該放送枠とは異なる放送枠（第４枠）を更に選択可能である。この場合、第１枠と第４枠との視聴状況に応じて定められる母集団に対して各放送枠（第２枠及び第３枠）の視聴状況に関する指標を表示する。
【０１０１】
なお、第１枠と第４枠との視聴状況に応じて定められる母集団とは、第１枠及び第４枠の双方を視聴した視聴者集合であってもよいし、第１枠及び第４枠の少なくとも一方を視聴した視聴者集合であってもよい。また、本実施形態においては３つ以上の放送枠が選択されることも可能であるが、このような場合には、当該３つ以上の放送枠のうちの少なくともｎ（ｎは１〜ｎまでの整数）個の放送枠を視聴した視聴者集合を指標を集計（算出）する際の母集団としてもよい。放送枠が複数選択される場合の母集団の定め方は、分析の目的等によって適宜設定されるようにしてもよい。
【０１０２】
また、本実施形態において、各放送枠の視聴状況に関する指標は当該指標を色彩で表したヒートマップ形式で表示される。このような構成によれば、オペレータは、指標が高い放送枠及び指標が低い放送枠を直感的に把握することが可能となる。
【０１０３】
なお、本実施形態においては、図６に示すような放送枠選択画面（ＧＵＩ画面）において放送枠が選択されるものとして説明したが、例えば図９に示すような放送枠情報のリスト（一覧）の中から放送枠を選択するようにしてもよい。
【０１０４】
また、本実施形態においては、例えば図７に示すような指標出力画面（ＧＵＩ画面）において指標が表示されるものとして説明したが、当該指標は、図１０に示すようにリスト形式で表示されても構わない。
【０１０５】
放送枠選択画面及び指標出力画面の形式はそれぞれ異なっていてもよく、例えば放送枠を選択する際には図９に示す形式（リスト形式）の画面が表示され、指標が表示される際には図７に示す形式（ヒートマップ形式）の画面が表示されてもよい。同様に、放送枠を選択する際には図６に示す形式の画面が表示され、指標が表示される際には図１０に示す形式の画面が表示されてもよい。
【０１０６】
なお、本実施形態において説明した各種画面は一例であり、各放送枠の視聴状況に関する指標をオペレータが把握することが可能であれば、他の形式の画面が表示されても構わない。
例えば指標出力画面は、図１１に示すように、縦軸を放送時間、横軸を放送局としたヒートマップ形式の画面であってもよい。このような図１１に示す指標出力画面によれば、例えば図６に示す放送枠選択画面２００において放送枠２０２が選択された場合には、当該放送枠２０２に接触した視聴機器（接触機器）が当該放送枠２０２よりも過去のどの放送枠から流入してきたのか、また、当該放送枠２０２から未来のどの放送枠に流出したか等の傾向を、ヒートマップの色彩から直感的に把握することが可能となる。また、図１２に示すように、複数の放送枠２０２及び３０１が選択された場合においても同様の形式で指標出力画面を表示することが可能である。
【０１０７】
また、本実施形態においては、接触機器（選択された放送枠を視聴した視聴者）を母集団とする各放送枠の視聴状況に関する指標を表示するものとして説明したが、当該接触機器を含む全視聴機器（つまり、選択された放送枠を視聴した視聴者を含む全視聴者）を母集団とする各放送枠の視聴状況に関する指標を更に表示する構成としても構わない。なお、全視聴機器とは、視聴データを収集可能である全ての視聴機器である。このような構成によれば、接触機器を母集団とする指標と全視聴機器を母集団とする指標の双方を参考にして新番組の放送枠を検討することができる。
【０１０８】
この場合、例えば図７に示すようなヒートマップ形式の画面においては、１つの放送枠内に接触機器を母集団とする指標に応じた色彩及び全視聴機器を母集団とする指標に応じた色彩を並べて表示するようにしてもよい。また、例えば図１０に示すようなリスト形式の画面においては、接触機器を母集団とする指標（視聴率）に並べて全視聴機器を母集団とする指標（視聴率）を表示するようにしてもよい。
【０１０９】
なお、接触機器を母集団とする指標と全視聴機器を母集団とする指標との相違は、上記したようにこれらを並べて表示することによって識別可能であるが、当該相違を識別可能な態様であれば、例えば接触機器を母集団とする指標（Ａ）と全視聴機器を母集団とする指標（Ｂ）との差（Ａ−Ｂ）や商（Ａ／Ｂ）等で指標が表示されてもよいし、例えばＡ／（Ａ＋Ｂ）のような指標が表示されてもよい。また、このような指標の計算には、正規化されたＡ及びＢが用いられても構わない。
【０１１０】
本実施形態においては、新番組のような放送コンテンツを放送する放送枠を検討する際の指標を表示（出力）する場合について説明したが、当該放送コンテンツは、番組以外のコンテンツであってもよい。
【０１１１】
具体的には、本実施形態は、新番組のＣＭ（以下、番宣ＣＭと表記）を放送する放送枠を検討する際に適用されても構わない。この場合、新番組に類似する番組の視聴者が視聴する傾向にある放送枠を把握することが可能であるため、このような放送枠において番宣ＣＭを放送することによって、新番組の有効ターゲットとなり得る視聴者に対して効率よく番宣ＣＭを視聴させることが可能となる。
【０１１２】
更に、本実施形態は、番宣ＣＭではなく、各種商品やサービス等のＣＭを放送（出稿）するタイムテーブルを検討する場合にも適用可能である。なお、タイムテーブルとは、ＣＭを効率よくターゲットに接触（視聴）させるために予め定義された放送枠の集合であり、例えば「逆Ｌ」と称される土曜日及び日曜日の朝から夜の時間帯と月曜日から金曜日の夜の時間帯とに該当する放送枠の集合パターンや「全日」と称される月曜日から金曜日の朝から夜までの時間帯に該当する放送枠の集合パターン等がある。
【０１１３】
以下、上記したＣＭ（以下、対象ＣＭと表記）を放送するタイムテーブルの候補を得るための分析システムを本実施形態の変形例として説明する。本変形例に係る分析システムの構成は、前述した本実施形態と同様であるため、適宜、図１及び図２を用いて説明する。なお、図示しないが、本変形例における放送枠情報は、上記した各放送枠を示す情報（放送局、放送時間及び曜日）に加えて、タイムテーブル情報を含む。タイムテーブル情報は、上記した「逆Ｌ」及び「全日」等のパターンに該当する放送枠を特定するための情報である。
【０１１４】
本変形例に係る分析システム１０の処理手順については、上述した本実施形態においてオペレータによって選択される放送枠が番組単位ではなく上記したタイムテーブル単位である点及び各放送枠の指標が視聴率ではなくリーチ数である点以外は本実施形態と同様であるため、その詳しい説明を省略する。なお、リーチ数は、例えば対象ＣＭに少なくとも１回は接触した視聴機器の数をいう。
【０１１５】
以下、本変形例に係る分析システム１０の動作について具体的に説明する。ここでは、上述した本実施形態とは異なる点について主に述べる。
【０１１６】
上記したように対象ＣＭを放送するタイムテーブルについて検討する場合には、例えばオペレータの操作に応じて放送枠選択画面が表示される。
【０１１７】
ここで、図１３は、本変形例における放送枠選択画面（ＧＵＩ画面）の一例を示す。なお、図１３に示す放送枠選択画面５００は、上述した図６に示す放送枠選択画面２００と概ね同様であるため、同様の部分についてはその詳しい説明を省略する。
【０１１８】
オペレータは、入力デバイス１０４を用いて放送枠選択画面５００上のポインタ５０１を操作して、放送枠選択画面５００上でタイムテーブルを選択（指定）することができる。
【０１１９】
本変形例において、オペレータは、例えば既に対象ＣＭを放送している（つまり、過去に出稿実績のある）タイムテーブルを選択する。ここでは、図１３に示すように、「放送局２  逆Ｌ」のタイムテーブル５０２が選択された場合を想定する。この場合、図５に示すステップＳ３〜Ｓ６の処理が実行されることによって、選択されたタイムテーブル（放送枠）５０２に接触した視聴機器（接触機器）が抽出され、当該接触機器（つまり、タイムテーブル５０２を視聴した視聴者）を母集団とする各放送枠（ここでは、タイムテーブル５０２に該当しない放送枠）の視聴状況に関する指標（リーチ数）が出力される。
【０１２０】
なお、リーチ数は上記したように対象ＣＭに少なくとも１回は接触した視聴機器の数であるが、当該リーチ数にカウントされる視聴機器（接触機器）の条件は、各放送枠に対する視聴時間等に基づいて適宜設定されていればよい。
【０１２１】
図１４は、本変形例において各放送枠の視聴状況に関する指標が出力された際の画面（以下、指標出力画面と表記）の一例を示す。なお、図１４に示す指標出力画面６００は、各放送枠に対して、当該放送枠の視聴状況に関する指標であるリーチ数を色彩で表したヒートマップ形式で表示される。
【０１２２】
ここで、図１４に示す指標出力画面６００を参照すると、タイムテーブル５０２（つまり、「放送局２  逆Ｌ」）に接触した視聴機器を母集団としたときの例えば「放送局１  全日」のタイムテーブルのリーチ数が低いことがわかる。
【０１２３】
ＣＭは多くの視聴者（ターゲット）に効率よく接触させることが有用であるところ、図１４に示す指標出力画面６００によれば、「放送局１  全日」のタイムテーブルを視聴する視聴者が視聴する傾向にある放送枠に対象ＣＭを放送することによって、これまで対象ＣＭを視聴していない視聴者が対象ＣＭに接触する可能性を向上させることができると推測される。
【０１２４】
この場合、オペレータは、指標出力画面（ＧＵＩ画面）６００において、「放送局１  全日」のタイムテーブル６０１を更に選択することができる。
【０１２５】
この場合において、例えばタイムテーブル５０２及びタイムテーブル６０１の少なくとも一方に接触した視聴機器を上記した図５に示すステップＳ３における接触機器とするものとすると、例えば図１５に示す指標出力画面７００が表示される。
【０１２６】
この指標出力画面７００においては、タイムテーブル５０２及びタイムテーブル６０１のうちの少なくとも一方に接触した視聴機器（つまり、タイムテーブル５０２及びタイムテーブル６０１の少なくとも一方を視聴した視聴者）を母集団とする各放送枠の視聴状況に関する指標（リーチ数）が表示される。
【０１２７】
なお、図１５においては明示されていないが、この指標出力画面７００においては、タイムテーブル５０２に接触した視聴機器を母集団とするリーチ数と、タイムテーブル６０１に接触した視聴機器を母集団とするリーチ数とを区別可能な態様（例えば、異なる色彩）で表示してもよい。
【０１２８】
この場合においてタイムテーブル６０１に接触した視聴機器を母集団とするリーチ数が高い放送枠（タイムテーブル）は、対象ＣＭが既に放送されたタイムテーブル５０２（ここでは、「放送局２  逆Ｌ」）に接触していない視聴者（つまり、「放送局１  全日」のタイムテーブル６０１に接触した視聴者）が視聴する傾向にある放送枠であると推測される。すなわち、対象ＣＭをこのように推測される放送枠で放送した場合には、対象ＣＭを視聴していない視聴者を対象ＣＭに接触させ、効率よくリーチ数を増加させることができると期待される。したがって、このような放送枠（タイムテーブル）を対象ＣＭを放送するタイムテーブルの候補として得ることができる。
【０１２９】
なお、ここではタイムテーブル５０２及びタイムテーブル６０１が選択されるものとして説明したが、例えば図１４に示す指標出力画面６００を参照して、単にタイムテーブル５０２に接触した視聴機器を母集団とするリーチ数が少ない（つまり、対象ＣＭを視聴していない視聴者が多いと推測される）タイムテーブル６０１等を対象ＣＭを放送するタイムテーブルの候補として得るようにしてもよい。
【０１３０】
このようにタイムテーブル５０２に接触した視聴機器を母集団とした場合のリーチ数が少ないタイムテーブルを対象ＣＭを放送するタイムテーブルの候補とする場合には、当該リーチ数が少ない（つまり、視聴が少ない）場合に指標が高くなるようにしてもよい。この場合、指標出力画面６００においては、例えばリーチ数の少ない放送枠（タイムテーブル）を濃度の高い色彩で表すようにすることができる。
【０１３１】
一方、タイムテーブル５０２に接触した視聴機器を母集団とするリーチ数が多いタイムテーブルを対象ＣＭを放送するタイムテーブルの候補とすることも可能である。このようなタイムテーブルで対象ＣＭを放送した場合には、既に対象ＣＭに接触している視聴者が再度対象ＣＭに接触する可能性が高くなるため、効率よくフリークエンシー（視聴回数）を増加させることが可能となる。
【０１３２】
上記したように本変形例においては、選択されたタイムテーブルに接触した視聴機器を母集団とするリーチ数が少ないまたは多い放送枠（タイムテーブル）対話的に分析可能であり、当該分析結果から対象ＣＭのリーチ数またはフリークエンシーを効率的に増加させやすいタイムテーブルの候補を発見的に得ることができる。
【０１３３】
なお、図１４及び図１５においては、指標が番組単位の放送枠毎に表示されるものとして示しているが、当該指標は、例えばタイムテーブル単位で集計されて表示されてもよい。
【０１３４】
また、本変形例においても、上述した本実施形態と同様に、放送枠選択画面５００を例えば図１６に示すようなリスト形式で表示してもよいし、指標出力画面６００を例えば図１７に示すようなリスト形式で表示してもよい。なお、図１７においては、タイムテーブル単位で指標が表示された例を示している。
【０１３５】
また、本変形例においては、接触機器（選択されたタイムテーブルを視聴した視聴者）を母集団とするリーチ数を表示するものとして説明したが、全視聴機器を母集団とするリーチ数を更に表示する構成としてもよい。これによれば、例えば接触機器を母集団とするリーチ数が低く、全視聴機器を母集団とするリーチ数が高いタイムテーブルは、効率よくリーチ数を増加させることができるタイムテーブルであると推測することができる。また、接触機器を母集団とするリーチ数及び全視聴機器を母集団とするリーチ数がともに高いタイムテーブルは、効率よくフリークエンシーを増加させることができるタイムテーブルであると推測することができる。
【０１３６】
上述した本実施形態においては放送枠が例えば番組単位である場合について主に説明し、本変形例においては放送枠が例えばタイムテーブル単位である場合について主に説明したが、当該放送枠は、例えばＣＭ枠単位等であってもよい。すなわち、放送枠は、１つの番組の放送時間に相当するものであってもよいし、複数の番組の放送時間を包含するものであってもよいし、番組の一部を構成するものであってもよく、視聴データから接触機器を抽出することが可能な単位であればよい。
【０１３７】
また、各放送枠の視聴状況に関する指標としては視聴率及びリーチ数について説明したが、当該指標は、これらの一方のみに限定されるものではなく、例えば視聴率、視聴者数（視聴機器数）、フリークエンシー、リーチ数、リーチ率またはこれらの組み合わせ等から分析目的に応じて適宜設定されればよい。
なお、本実施形態及び本変形例においては接触機器を母集団として各放送枠の視聴状況に関する指標（視聴率またはリーチ数等）を出力するものとして説明したが、例えば各視聴機器を特徴づける情報（以下、機器特徴情報と表記）が利用可能な場合には、当該機器特徴情報に基づいて母集団となる接触機器を限定するようにしてもよい。なお、機器特徴情報は、各視聴機器における視聴者に関する情報（例えば、デモグラフィックス等）を含み、例えば図１８に示すようなデータ構造を有する情報であるものとする。これによれば、例えば図１９に示すようなＧＵＩ画面を介して指定された条件に基づいて、上述した本実施形態及び本変形例において説明した接触機器を限定することができる。図１９に示す例によれば、オペレータによって選択された放送枠またはタイムテーブルに接触した視聴機器であって、且つ、家族構成が１人暮らしである視聴者の視聴機器を接触機器（母集団）として指標を出力することができる。このような構成によれば、よりオペレータの意図した指標を出力することが可能となる。
更に、上記した機器特徴情報が利用可能な場合には、例えば図２０に示す円グラフ等によって、指標を出力する際の母集団となる視聴機器（接触機器）の機器特徴情報に基づく内訳を表示（出力）することも可能である。
【０１３８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０１３９】
１０…分析システム、１１…放送枠情報格納部、１２…視聴データ格納部、１３…放送枠選択部、１４…集計部、１５…表示制御部、１０１…ＣＰＵ、１０２…不揮発性メモリ、１０３…主メモリ、１０４…入力デバイス、１０５…表示デバイス、１０６…通信デバイス。
【図１】
2019140485.tif 000003
【図２】
2019140485.tif 000004
【図３】
2019140485.tif 000005
【図４】
2019140485.tif 000006
【図５】
2019140485.tif 000007
【図６】
2019140485.tif 000008
【図７】
2019140485.tif 000009
【図８】
2019140485.tif 000010
【図９】
2019140485.tif 000011
【図１０】
2019140485.tif 000012
【図１１】
2019140485.tif 000013
【図１２】
2019140485.tif 000014
【図１３】
2019140485.tif 000015
【図１４】
2019140485.tif 000016
【図１５】
2019140485.tif 000017
【図１６】
2019140485.tif 000018
【図１７】
2019140485.tif 000019
【図１８】
2019140485.tif 000020
【図１９】
2019140485.tif 000021
【図２０】
2019140485.tif 000022